(57)【要約】【課題】情報を、より確実にユーザに提示することができる情報提示システム、情報提示方法及び情報提示装置を提供する。【解決手段】本発明に係る情報提示システム１００は、個人に係わるデータを収集するデータ収集装置１１０と、収集された前記データを蓄積するデータ蓄積装置１２０と、受信した放送波に前記蓄積されたデータを付加して、該データが付加された情報を所定の時刻に提示する情報提示装置１３０とを備える。【選択図】図１
2015049715.tif 000002
【特許請求の範囲】
【請求項１】
個人に係わるデータを収集するデータ収集装置と、
収集された前記データを蓄積するデータ蓄積装置と、
受信した放送波に前記蓄積されたデータを付加して、該データが付加された情報を所定の時刻に提示する情報提示装置と
を備えることを特徴とする情報提示システム。
【請求項２】
前記情報提示装置は、
該情報提示装置の周囲のユーザを識別するユーザ識別部を備え、
前記ユーザ識別部は、所定のユーザ以外のユーザを識別した場合に、前記データが付加された情報の提示を中止する
ことを特徴とする、請求項１に記載の情報提示システム。
【請求項３】
前記情報提示装置は、
該情報提示装置の周囲のユーザを識別するユーザ識別部と、前記ユーザに対するデータの閲覧権限を管理する閲覧権限管理部とを備え、
前記ユーザ識別部は、前記データの閲覧権限を有しないユーザを識別した場合に、前記データが付加された情報の提示を中止する
ことを特徴とする、請求項１に記載の情報提示システム。
【請求項４】
前記データ蓄積装置は、前記蓄積されたデータを解析するデータ解析部を備え、
前記情報提示装置は、前記蓄積されたデータに代えて又は前記蓄積されたデータとともに、前記解析されたデータを付加する
ことを特徴とする、請求項１乃至３のいずれか一項に記載の情報提示システム。
【請求項５】
データ収集装置とデータ蓄積装置と情報提示装置とを備える情報提示システムにおける情報提示方法であって、
前記データ収集装置が個人に係わるデータを収集するステップと、
前記データ蓄積装置が前記収集したデータを蓄積するステップと、
前記情報提示装置が、受信した放送波に前記蓄積されたデータを付加して、該データが付加された情報を所定の時刻に提示するステップと
を含むことを特徴とする情報提示方法。
【請求項６】
個人に係わるデータを受信するデータ受信部と、
受信した放送波に前記受信したデータを付加する放送波加工部と、
該データが付加された放送波を所定の時刻に提示する情報提示部と
を備えることを特徴とする情報提示装置。
【発明の詳細な説明】
【技術分野】
【０００１】
本発明は、ＩＣＴ（Information and Communication Technology）機器を用いた、ユーザへの情報提示システム、情報提示方法及び情報提示装置に関する。
【背景技術】
【０００２】
さまざまなセンサやＩＣＴ機器等の普及及び発達により、普段の生活中でも、ＩＣＴによる支援が可能となってきている。ＩＣＴによる支援として、種々のサービスが提供されており、例えば、ユーザは、健康管理サイトを利用して、測定した自らの健康情報を管理し、閲覧することができる。しかし、特に高齢者は、ＩＣＴ機器に不慣れであることが多いことに加え（例えば、非特許文献１参照）、ＩＣＴ機器の利用においても受動的になりがちである（例えば、非特許文献２参照）。そのため、このようなユーザは、例えば健康管理サイトにアクセスして積極的に自ら必要な情報を探す等の能動的な情報収集を行わない傾向にある。
【０００３】
能動的な情報収集を行わないユーザによる受動的な情報の閲覧方法の一つとして、例えばコンピュータを使用した電子メールがある。しかし、上記のように、ＩＣＴ機器に不慣れな高齢者等は、電子メールを閲覧する際にコンピュータを使用しても、自ら情報の検索をしようとはしないことが多い。一方、受動的な情報の閲覧方法であっても、テレビはＩＣＴ機器に不慣れな高齢者等にも広く利用されており、高齢者はニュースや気象情報を定期的に見ている場合も多い。
【０００４】
また、スマートテレビ（例えば、非特許文献３参照）やハイブリッドキャスト（例えば、非特許文献４参照）といったテレビ関連の技術が普及しつつあり、テレビが単に放送電波を受けて表示するだけの装置ではなくなってきている。
【０００５】
一方、歩数情報などの健康情報を測定しＩＣＴ機器に情報を送るための規格としてコンティニュアが策定されたり（例えば、非特許文献５参照）、携帯電話に内蔵された健康情報測定機器の利用や携帯電話を中継した健康情報の送信が行われ始めたりしている（例えば、非特許文献６参照）。
【先行技術文献】
【特許文献】
【０００６】
【非特許文献１】小松裕子、「高齢者・障害者へのＩＴ支援の現状と課題」、富山大学  芸術文化学部紀要  第２巻、２００７年１２月、ｐｐ．７６−８４
【非特許文献２】工藤奈保子、「ＩＣＴ利用における高齢者のリスクの現状と課題」、２１世紀社会デザイン研究  ２０１１  Ｎｏ．１０、ｐｐ．２３７−２４５
【非特許文献３】総務省、「スマートテレビの推進に向けて」、平成24年6月
【非特許文献４】日本放送協会  放送技術研究所、「Hybridcastの技術仕様概説」、２０１１年５月２７日
【非特許文献５】渡邉茂道、山口聡、「Continua Health Allianceにおけるガイドライン策定状況」ＮＴＴ技術ジャーナル  ２０１０年４月号、ｐｐ．７０−７２
【非特許文献６】報道発表資料「『gooからだログ』が、ＮＴＴドコモの歩数機能内蔵携帯のデータを自動的に反映するアプリケーションと連携開始」、［online］、平成２１年５月２７日、［平成２５年７月２６日検索］、インターネット〈URL：http://pr.goo.ne.jp/detail/1307/〉
【発明の概要】
【発明が解決しようとする課題】
【０００７】
受動的な情報の閲覧を主として行う高齢者は、ＩＣＴ機器を利用して自ら必要な情報を探すことをほとんど行わないため、このようなユーザに対して、いかに必要な情報をより確実に提示するかが課題であった。一方、多くの高齢者が、ニュースや気象情報を決まった時間にテレビで見る、といった受動的な情報収集を従来から行ってきており、高齢者にとって、テレビで情報収集を行うことは、習慣化している。
【０００８】
従って、かかる点に鑑みてなされた本発明の目的は、情報を、より確実にユーザに提示することができる情報提示システム、情報提示方法及び情報提示装置を提供することにある。
【課題を解決するための手段】
【０００９】
上述した諸課題を解決すべく、本発明に係る情報提示システムは、
個人に係わるデータを収集するデータ収集装置と、
収集された前記データを蓄積するデータ蓄積装置と、
受信した放送波に前記蓄積されたデータを付加して、該データが付加された情報を所定の時刻に提示する情報提示装置と
を備えることを特徴とする。
【００１０】
また、本発明は上述した情報提示システムに実質的に相当する方法及び装置としても実現し得るものであり、本発明の範囲にはこれらも包含されるものと理解されたい。
【００１１】
例えば、本発明に係る情報提示方法は、
データ収集装置とデータ蓄積装置と情報提示装置とを備える情報提示システムにおける情報提示方法であって、
前記データ収集装置が個人に係わるデータを収集するステップと、
前記データ蓄積装置が前記収集したデータを蓄積するステップと、
前記情報提示装置が、受信した放送波に前記蓄積されたデータを付加して、該データが付加された情報を所定の時刻に提示するステップと
を含むことを特徴とする。
【００１２】
また、例えば、本発明に係る情報提示装置は、
個人に係わるデータを受信するデータ受信部と、
受信した放送波に前記受信したデータを付加する放送波加工部と、
該データが付加された放送波を所定の時刻に提示する情報提示部と
を備えることを特徴とする。
【発明の効果】
【００１３】
上記のように構成された本発明に係る情報提示システム、情報提示方法及び情報提示装置によれば、情報を、より確実にユーザに提示することができる。
【図面の簡単な説明】
【００１４】
【図１】本発明の第１実施形態に係る情報提示システムのシステム構成図である。
【図２】本発明の第１実施形態に係る情報提示システムの一連の動作の例を示すシーケンス図である。
【図３】データ収集装置管理データベースの例を模式的に示す図である。
【図４】データ管理データベースの例を模式的に示す図である。
【図５】情報提示装置管理データベースの例を模式的に示す図である。
【図６】情報提示装置における情報の提示方法の例を示す図である。
【図７】本発明の第２実施形態に係る情報提示システムのシステム構成図である。
【図８】顔画像管理データベースの例を模式的に示す図である。
【図９】本発明の第２実施形態に係る情報提示システムの一連の動作の例を示すシーケンス図である。
【図１０】タグＩＤ管理データベースの例を模式的に示す図である。
【図１１】本発明の第２実施形態に係る情報提示システムのシステム構成図である。
【図１２】本発明の第３実施形態に係る情報提示システムのシステム構成図である。
【図１３】本発明の第３実施形態に係る情報提示システムの一連の動作の例を示すシーケンス図である。
【発明を実施するための形態】
【００１５】
以下、本発明の実施の形態について、図面を参照して説明する。
【００１６】
（第１実施形態）
図１は、第１実施形態に係る情報提示システムのシステム構成図である。第１実施形態に係る情報提示システム１００は、データ収集装置１１０と、データ蓄積装置１２０と、情報提示装置１３０とを有する。データ収集装置１１０とデータ蓄積装置１２０、及びデータ蓄積装置１２０と情報提示装置１３０とは、例えばインターネット回線、ＷＡＮ（Wide Area Network）、ＬＡＮ（Local Area Network）などを介して相互に通信可能に接続されている。
【００１７】
データ収集装置１１０は、本システムのユーザ個人に係わるデータを収集する。データ収集装置１１０は、ユーザ個人に係るデータを収集する任意の装置とすることができる。以下、本実施形態においては、データ収集装置１１０は、ユーザが歩いた歩数を記録する歩数計１１０ａ、ユーザの血圧を測定する血圧計１１０ｂ、及びユーザの睡眠時間及び睡眠状態を記録する睡眠計１１０ｃであるとして説明する。歩数計１１０ａ、血圧計１１０ｂ及び睡眠計１１０ｃの各データ収集装置１１０は、健康情報測定部１１１と、データ送信部１１２とを、それぞれ有する。歩数計１１０ａ、血圧計１１０ｂ及び睡眠計１１０ｃの健康情報測定部１１１は、それぞれユーザが歩いた歩数、ユーザの血圧、ユーザの睡眠時間及び睡眠状態等、ユーザの健康情報に係るデータを測定する。データ送信部１１２は、健康情報測定部１１１と接続されており、各健康情報測定部１１１で測定されたデータを取得してデータ蓄積装置１２０に送信する。
【００１８】
データ蓄積装置１２０は、データ収集装置１１０で測定されたデータを管理する。データ蓄積装置１２０は、例えばサーバであり、データ受信部１２１と、データ管理部１２２と、データ要求応答部１２３と、ユーザ管理部１２４とを有する。データ受信部１２１は、データ管理部１２２及びユーザ管理部１２４と接続されている。また、データ管理部１２２とデータ要求応答部１２３とユーザ管理部１２４とは、互いに接続されている。データ受信部１２１は、データ収集装置１１０から送信されたデータを受信する。データ管理部１２２は、データ受信部１２１で受信したデータを、データのユーザごとに整理し、例えばユーザごとに異なるフォルダにデータを格納することによって、データの蓄積を行う。データ要求応答部１２３は、情報提示装置１３０から受信したデータ要求に応じて、データ管理部１２２に格納されたデータを情報提示装置１３０に送信する。ユーザ管理部１２４は、ユーザが使用するデータ収集装置１１０及び情報提示装置１３０の識別情報を管理する。
【００１９】
情報提示装置１３０は、例えばテレビに代表されるような、受信した放送波の情報を映像や音声などの手段によって提示する装置である。情報提示装置１３０は、情報提示部１３１と、データ要求部１３２と、データ受信部１３３と、放送波加工部１３４とを有する。放送波加工部１３４は、情報提示部１３１及びデータ受信部１３３と互いに接続されている。情報提示部１３１は、放送波を受信して情報提示装置１３０に映像及び音声として提示する。ここで、放送波には、ＣＡＴＶ（Community Antenna Television）、ＢＳ（Broadcasting Satellite）放送、ＣＳ（Communication Satellite）放送等の放送波が含まれる。データ要求部１３２は、ユーザの健康情報に係るデータを送信するように要求するデータ要求をデータ蓄積装置１２０に送信する。データ受信部１３３は、データ要求部１３２のデータ要求に応じてデータ蓄積装置１２０から送信されるユーザの健康情報を受信する。放送波加工部１３４は、所定の時刻に、情報提示部１３１が受信する放送波の提示方法を変更する。具体的には、データ受信部１３３で受信したユーザの健康情報を、放送波に付加して情報提示部１３１に提示するように、提示方法を変更する。
【００２０】
次に、図２を用いて、データ収集装置１１０が健康情報を測定してから情報提示装置１３０に情報を提示するまでの一連の動作を説明する。図２は、この一連の動作の例を示すシーケンス図である。
【００２１】
まず、各データ収集装置１１０において、ユーザの健康情報に係るデータを測定する。例えば、ユーザは、歩数計１１０ａを常時携帯しているとする。このとき、歩数計１１０ａは、ユーザの歩いた歩数を常時測定する。そして、歩数計１１０ａは、例えば所定の時間間隔で、それまでに測定された歩数に関するデータを、歩数計１１０ａのデータ収集装置を識別するためのデータ収集装置識別情報とともに、データ送信部１１２ａからデータ蓄積装置１２０に送信する。例えば、歩数計１１０ａは、ある時刻に歩数のデータと識別情報とをデータ蓄積装置１２０に送信する（ステップＳ２０１）。歩数計１１０ａは、歩数のデータを送信するときに、歩数のカウンタをリセットし、再び１歩目から歩数の測定を始めるように構成してもよい。そして、その後所定の時間が経過すると、歩数計１１０ａは再度データと識別情報とを送信する（ステップＳ２０２）。歩数計１１０ａは、この動作を繰り返す（ステップＳ２０３）。尚、歩数計１１０ａが行うデータの送信は、所定の時間間隔で行うものに限定されない。例えば、歩数計１１０ａを携帯するユーザが外出先から帰宅し、歩数計１１０ａが家庭内等に設けられた特定のエリアのネットワーク（ホームネットワーク）に入ると、歩数計１１０ａがデータと識別情報とを送信するように構成してもよい。
【００２２】
血圧計１１０ｂは、ユーザが血圧計１１０ｂを使用したときに、ユーザの血圧を測定する。そして、血圧計１１０ｂは、血圧の測定が完了したときに、測定されたデータを、血圧計１１０ｂのデータ収集装置を識別するためのデータ収集装置識別情報とともに、データ送信部１１２ｂからデータ蓄積装置１２０に送信する（ステップＳ２０４）。血圧計１１０ｂは、この動作を繰り返す（ステップＳ２０５）。
【００２３】
睡眠計１１０ｃは、ユーザの寝室に設置され、ユーザの睡眠時に睡眠時間及び睡眠状態を測定する。そして、睡眠計１１０ｃは、ユーザの睡眠が終了することによって、睡眠時間及び睡眠状態の測定が完了したときに、測定されたデータを、睡眠計１１０ｃのデータ収集装置を識別するためのデータ収集装置識別情報とともに、データ送信部１１２ｃからデータ蓄積装置１２０に送信する（ステップＳ２０６）。
【００２４】
尚、例えば血圧計１１０ｂのように、測定したデータを複数人分記録可能なデータ収集装置１１０においては、データ収集装置識別情報に、記録した各データに係るユーザを特定するためのユーザ識別情報を付加して、データ送信部１１２からデータ蓄積装置１２０に送信するように構成してもよい。このように構成することによって、他のユーザのデータが自らのデータに紛れ込むことを防ぐことができる。
【００２５】
データ蓄積装置１２０は、各データ収集装置１１０から送信されたデータをデータ受信部１２１で受信したとき、受信したデータ収集装置識別情報と、ユーザ管理部１２４内に格納されたデータ収集装置管理データベースとを照らし合わせることにより、受信したデータに対応するユーザを特定する。図３は、データ収集装置管理データベースの例を模式的に示す図である。データ収集装置管理データベースは、図３に示すようなテーブルを有する。「データ収集装置識別情報」は、各データ収集装置に固有の符号である。また、「ユーザ識別情報」は、各データ収集装置で測定されたデータに係るユーザを特定するための、各ユーザに固有の符号である。さらに、「機器種別」は、各データ収集装置の種類を示す。例えば、データ蓄積装置１２０は、データとともに「sb01」というデータ収集装置識別情報を受信したとする。すると、データ蓄積装置１２０は、データ収集装置管理データベースの「データ収集装置識別情報」及び「ユーザ識別情報」を参照し、「sb01」のデータ収集装置に対応するユーザが、「user1」の符号に該当するユーザであることを特定する。このとき、データ蓄積装置１２０は、「機器種別」を参照して、受信したデータが「血圧計」のデータであることも特定することができる。そして、データ蓄積装置１２０は、受信したデータを、例えばデータ管理部１２２の「user1」に対応するフォルダに格納する。同様にして、例えば、データ蓄積装置１２０は、「ss02」というデータ収集装置識別情報を受信した場合、「ss02」のデータ収集装置に対応するユーザが「user2」の符号に該当するユーザであり、受信したデータが「睡眠計」のデータであることを特定することができる。この場合、データ蓄積装置１２０は、受信したデータを、データ管理部１２２の「user2」に対応するフォルダに格納する。このようにして、データ蓄積装置１２０は、受信したデータをユーザごとに整理してデータ管理部１２２に格納することにより、データの蓄積を行う。
【００２６】
図４は、蓄積されたデータの管理を行うデータ管理データベースの例を模式的に示す図であり、図３の「user1」に対応するフォルダに格納されたデータを示すものである。データ管理データベースは、図４に示すようなテーブルを有する。「データ収集装置識別情報」は、図３のデータ収集装置管理データベースの「データ収集装置識別情報」と同じである。「測定日時」は、各データ収集装置１１０から送信されたデータが測定された日時であり、「測定データ」は、そのデータ収集装置１１０において測定された個人に係わるデータである。例えば、図４を参照すると「sb01」に対応する血圧計１１０ｂ（図３参照）では、２０１３年１月１日８時に血圧の測定が行われ、測定された血圧は「120mmHg」となっている。同様に、例えば「swk01」に対応する歩数計１１０ａでは、２０１３年１月１日２４時にユーザがその時までに歩いた歩数が測定され、測定された歩数は「5678歩」となっている。尚、本実施形態の説明においては、図４に記載されているデータ管理データベースは、ユーザごとに異なるフォルダに格納されているものとして説明したが、本発明はこの態様に限定されるものではない。例えば、図４のデータ管理データベースに、さらに図３の「ユーザ識別情報」を格納することによって、ユーザごとに異なるフォルダでデータを管理するのではなく、１つのフォルダで複数のユーザのデータを管理することもできる。
【００２７】
再び図２を参照すると、情報提示装置１３０は、所定の時刻に提示方法を変更するために、当該所定の時刻の前に、データ蓄積装置１２０に対して、ユーザの健康情報に係るデータを要求するデータ要求とともに、自らの情報提示装置識別情報を送信する（ステップＳ２０７）。所定の時刻は、任意の時刻に設定することができ、例えば、毎朝の気象情報が放送された直後の時間とすることができる。また、情報提示装置１３０がデータ要求を送信する時刻は、例えば、提示方法を変更する所定の時刻の５分前や１分前等、所定の時刻の前の任意の時刻とすることができる。
【００２８】
データ蓄積装置１２０は、データ要求応答部１２３においてデータ要求を受信したとき、受信した情報提示装置識別情報と、ユーザ管理部１２４内に格納された情報提示装置管理データベースとを照らし合わせることにより、データ要求を行った情報提示装置１３０に対応するユーザを特定する。図５は、情報提示装置管理データベースの例を模式的に示す図である。情報提示装置管理データベースは、図５に示すようなテーブルを有する。「情報提示装置識別情報」は、各情報提示装置に固有の符号である。また、「ユーザ識別情報」は、各情報提示装置を使用するユーザを特定するための、各ユーザに固有の符号である。例えば、データ蓄積装置１２０は、データ要求とともに「smartTV1」という情報提示装置識別情報を受信したとする。すると、データ蓄積装置１２０は、情報提示装置管理データベースの「情報提示装置識別情報」及び「ユーザ識別情報」を参照し、「smartTV1」の情報提示装置に対応するユーザが「user1」の符号に該当するユーザであることを特定する。そして、データ蓄積装置１２０は、データ管理部１２２に格納された「user1」に対応するデータを、データ要求応答部１２３から情報提示装置１３０に送信する（ステップＳ２０８）。
【００２９】
情報提示装置１３０は、データ蓄積装置１２０から送信されたデータを、データ受信部１３３で受信する。そして、情報提示装置１３０の放送波加工部１３４は、所定の時刻になると、その時刻において提示されている放送波に受信したデータを付加するように、情報提示部１３１における提示方法を変更する（ステップＳ２０９）。放送波加工部１３４は、例えば、図６（ａ）のように全画面で表示されていた放送波の映像を、図６（ｂ）のようにアスペクト比を保ったまま縮小して左上から表示し、下部及び右側に放送波映像を表示しない領域を作る。そして、当該領域に、データ受信部１３３が受信した健康情報を表示する。健康情報は、例えば文字や表、グラフ等の画像情報として表示することができる。ユーザは、このようにして情報提示装置１３０に表示された健康情報を確認することで、自ら能動的に情報を取得することなく、自らの健康情報を知ることができる。
【００３０】
情報提示装置１３０は、健康情報に係るデータの提示を、例えば、一定の時間が経過したときに終了することができる（ステップＳ２１０）。このとき、情報提示装置１３０の情報提示部１３１は、放送波を全画面に表示する状態に戻る。尚、健康情報の提示は、歩数、血圧及び睡眠時間の一連の情報の提示が終了したときに終了してもよい。また、例えば、ユーザによるリモコンのボタン操作によって、健康情報に係るデータの提示を終了するように情報提示装置１３０を構成してもよい。
【００３１】
このように、毎日決められた時刻に情報提示装置に情報を提示することで、自分から能動的に情報を集めることが少ない人に対しても、受動的に情報を得る習慣化によって、より確実に情報を提示することができる。
【００３２】
尚、本発明は、上記実施形態にのみ限定されるものではなく、幾多の変形又は変更が可能である。例えば、健康情報の提示は、読み上げを行って、再生されている放送波の音声に混ぜて音声を再生こともできる。このとき、例えば情報提示装置１３０が複数のスピーカを備える場合には、１つのスピーカから健康情報を再生し、他のスピーカから放送波の音声を再生することができる。また、再生されている映像の放送波の音声を止めて、健康情報の読み上げの音声だけを再生してもよい。
【００３３】
また、上記実施例では、所定の時刻になると、その時刻において提示されている放送波に受信したデータを付加するように、情報提示部１３１における提示方法を変更するものとして説明したが、本発明はこの形態に限られない。例えば、所定の時刻なると、あらかじめ決められたチャンネルに切り替えて、健康情報を提示してもよい。また、チャンネルの切り替えは、使用されていないチャンネル、すなわち、放送波のないチャンネルへの切り替えとし、当該チャンネルの全画面又は画面の一部を利用して、健康情報を提示してもよい。
【００３４】
また、健康情報の提示は、放送波の映像を縮小して表示して、下部及び右側に健康情報を表示するのではなく、例えば、放送波の映像に情報をポップアップで重畳して表示してもよい。あるいは、画面の上部や下部に、横に流れるテロップとして重畳して健康情報を表示してもよい。
【００３５】
また、所定の時刻になったときに、情報提示装置１３０が起動していない場合（テレビのスイッチがオフの場合）には、本システムは、自動的に情報提示装置１３０のスイッチをオンにして、健康情報を提示するように構成することができる。情報提示装置１３０のスイッチを自動的にオンにした場合、一定の時間が経過したとき、又は一連の情報の提示が終了したときに、情報提示装置１３０は自動的スイッチをオフにして、健康情報の提示を終了する。また、本システムは、所定の時刻になったときに情報提示装置１３０が起動していない場合には、健康情報を提示しないように構成することもできる。この場合、ユーザが次に情報提示装置１３０を起動したときに健康情報を提示するように構成してもよい。
【００３６】
また、上記実施形態においては、ユーザが使用するデータ収集装置１１０及び情報提示装置１３０に関する情報は、データ蓄積装置１２０内に格納されたデータ収集装置管理データベース又は情報提示装置管理データベースにてそれぞれ管理するものとして記載したが、本発明は、この形態に限定されない。例えば、データ収集装置１１０又は情報提示装置１３０がこれらのデータベースを備えていてもよい。また、データ蓄積装置１２０を独立して設けることなく、データ収集装置１１０又は情報提示装置１３０に組み込むようにシステムを構成し、データ収集装置１１０又は情報提示装置１３０にてデータを蓄積してもよい。
【００３７】
また、上記実施形態においては、放送波の映像に付加する情報の例として、ユーザの健康情報について説明したが、付加する情報はこれに限定されるものではない。付加する情報は、ユーザ個人に係る情報であって、日ごとに変化する任意の情報とすることができる。本発明によれば、例えば、ユーザが薬を飲み忘れた場合の通知を行うこともできる。この場合、データ収集装置１１０で測定したデータをデータ蓄積装置１２０に蓄積するのと同様に、ユーザが薬を服用したか否かに関するデータをデータ蓄積装置１２０に蓄積する。具体的には、例えば、薬箱に開閉が行われたか否かを検出するセンサが薬箱に設けられ、当該センサが、薬箱が開閉されたことを検出した場合に、センサからデータ蓄積装置１２０に開閉情報のデータが送信される。そして、データ蓄積装置１２０において、開閉情報に関するデータが蓄積される。所定の時刻になっても開閉情報が更新されない場合には、薬が服用されていないものとして、情報提示装置１３０は、放送波の映像に開閉情報を付加して、情報提示部１３１に提示する。このようにして、本発明に係るシステムを、薬の飲み忘れ防止に用いることができる。
【００３８】
（第２実施形態）
図７は、本発明の第２実施形態に係る情報提示システムのシステム構成図である。例えば、複数人で生活している場合、１つの情報提示装置（テレビ）１３０を複数人で共有して使用することがある。また、例えば、情報提示装置１３０が設置してある空間に第三者が訪問してくる場合もある。このような場合、蓄積された健康情報に係る本人以外の他のユーザが情報提示装置１３０の周囲にいるようなときには、本人が健康情報を提示して欲しくないと考えることが想定される。また、健康情報は、個人情報であるため、本人以外の他のユーザに提示されることは適切ではない。この点に鑑み、他のユーザが情報提示装置１３０の周囲にいる場合に、情報提示装置１３０が健康情報の提示を行わないようにすることが好ましい。そこで、本実施形態に係る情報提示システムは、第１実施形態の情報提示装置１３０に、情報提示装置１３０を使用するユーザを識別するユーザ識別部を、さらに設けたものである。本実施形態に係る情報提示システムでは、所定の時刻になっても、所定のユーザが情報提示装置１３０の前にいる場合にのみ、情報の提示を行う。以下、第１実施形態と同じ点については説明を省略し、異なる点について説明を行う。
【００３９】
第２実施形態に係る情報提示システム１００は、第１実施形態と同様に、データ収集装置１１０と、データ蓄積装置１２０と、情報提示装置１３０とを有する。データ収集装置１１０とデータ蓄積装置１２０、及びデータ蓄積装置１２０と情報提示装置１３０とは、相互に通信可能に接続されている。データ収集装置１１０及びデータ蓄積装置１２０の構成は、第１実施形態と同じである。
【００４０】
第２実施形態における情報提示装置１３０は、図７に示すように、情報提示部１３１と、データ要求部１３２と、データ受信部１３３と、放送波加工部１３４と、ユーザ識別部１３５とを有する。放送波加工部１３４は、情報提示部１３１、データ受信部１３３及びユーザ識別部１３５と互いに接続されている。また、データ要求部１３２とユーザ識別部１３５とは、互いに接続されている。情報提示部１３１、データ要求部１３２、データ受信部１３３及び放送波加工部１３４の機能は、第１実施形態と同様である。ユーザ識別部１３５は、情報提示装置１３０の周囲のユーザを識別する。
【００４１】
ユーザ識別部１３５は、例えば、カメラと画像認識部とにより構成することができる。この場合、カメラは例えば情報提示装置１３０の上部に設置され、周囲の画像を撮影して取得する。取得した画像は、画像認識部に送信される。画像認識部は、図８に模式的に示すような顔画像管理データベースを格納している。顔画像管理データベースは、図８に示すようなテーブルを有する。「ユーザ識別情報」は、各ユーザに固有の符号であり、「ユーザ顔画像」には、各ユーザの顔画像がバイナリデータとして予め登録されている。画像認識部は、取得した画像を顔画像管理データベースの顔画像に照らし、情報提示装置１３０の周囲のユーザを識別する。このとき、画像認識部は、取得した画像が顔画像管理データベースに登録された顔画像のいずれかと同一であると特定すると、その顔画像に対応するユーザが情報提示装置１３０の周囲にいると認識し、取得した画像が顔画像管理データベースに登録された顔画像のいずれとも一致しないと特定すると、登録されていないユーザが周囲にいると認識する。
【００４２】
次に、図９を用いて、第２実施形態における情報提示システムの一連の動作を説明する。第１実施形態における情報提示システム１００と同様に、第２実施形態における情報提示システム１００においては、歩数計１１０ａ、血圧計１１０ｂ及び睡眠計１１０ｃがユーザの健康情報に係るデータを測定し、測定したデータを自らのデータ収集装置識別情報とともにデータ蓄積装置１２０に送信する（ステップＳ２０１乃至Ｓ２０６）。そして、情報提示装置１３０は、健康情報を提示する所定の時刻の前に、データ蓄積装置１２０に対して、データ要求とともに自らの情報提示装置識別情報を送信し（ステップＳ２０７）、データ蓄積装置１２０は、この要求に応答して、情報提示装置識別情報に対応するユーザの健康情報に係るデータを情報提示装置１３０に送信する（ステップＳ２０８）。情報提示装置１３０は、このようにしてデータを受信する一方で、ユーザ識別部１３５において、周囲のユーザを常時識別している。そして、情報提示装置１３０は、放送波加工部１３４において、所定の時刻に、放送波の映像に受信したデータを付加するように、情報提示部１３１における提示方法を変更する（ステップＳ２０９）のであるが、このとき、ユーザ識別部１３５が、提示する健康情報に係るユーザ以外の他のユーザを識別した場合、放送波加工部１３４は、提示方法の変更を中止する。放送波加工部１３４が提示方法の変更を中止した場合、情報提示装置１３０は、情報提示部１３１において、全画面で放送波の映像の表示を継続する。
【００４３】
所定の時刻にユーザ識別部１３５が、提示する健康情報に係るユーザ以外の他のユーザを識別しない場合には、情報提示装置１３０は、放送波加工部１３４において変更された提示方法により、例えば、図６（ｂ）に示すように、放送波の映像とともに健康情報を表示する（ステップＳ２０９）。提示方法が変更されている間、ユーザ識別部１３５は、周囲のユーザの識別を継続する。そして、提示方法が変更されている間に、例えば、情報提示部１３１に提示されている健康情報のユーザ以外の他のユーザが情報提示装置１３０の周囲に近づき、ユーザ識別部１３５が当該他のユーザを識別した場合には、放送波加工部１３４は提示方法の変更を中止し、情報提示部１３１は全画面で放送波の映像を表示する（ステップＳ２１１）。その後、当該他のユーザが情報提示装置１３０から離れることにより、ユーザ識別部１３５が他のユーザを識別しなくなると、放送波加工部１３４は再び提示方法の変更を行う（ステップＳ２１２）。そして、第１実施形態の場合と同様に、情報提示装置１３０は、健康情報に係るデータの提示を、例えば、一定の時間が経過したときに終了する（ステップＳ２１０）。
【００４４】
このように、第２実施形態においては、情報提示装置１３０は、提示する健康情報のユーザ以外の他のユーザが情報提示装置１３０の周囲にいる場合には、健康情報の提示を行わない。そのため、他のユーザに対して本人の健康情報が提示されない。また、このようにして、個人情報である健康情報が漏洩することを防ぐことができる。
【００４５】
尚、本発明は、上記実施形態にのみ限定されるものではなく、幾多の変形又は変更が可能である。例えば、情報提示装置１３０の周囲のユーザの識別は、無線機器を用いて行うことができる。具体的には、各ユーザが固有のＲＦＩＤ（Radio Frequency Identification）タグを持ち歩き、ＲＦＩＤレシーバを有するように構成されたユーザ識別部１３５が、ＲＦＩＤタグの電波を受信する。ユーザ識別部１３５は、図１０に示すようなタグＩＤ管理データベースを格納しており、受信したＲＦＩＤタグのタグＩＤから、テーブルを参照することによって、当該タグＩＤに対応するユーザを特定する。このようにして、情報提示装置１３０の周囲のユーザを識別することができる。また、ＲＦＩＤタグに代えて、ＷｉＦｉ（Wireless Fidelity）機能付きの携帯電話を使用することにより、ＷｉＦｉアクセスポイントを有するように構成されたユーザ識別部１３５において、ユーザを識別することもできる。
【００４６】
また、上述の説明においては、健康情報の本人のみが情報提示装置１３０の周囲にいる場合に健康情報が提示されるような構成について説明したが、本情報提示システム１００は、本人以外の閲覧権限を有するユーザのみが情報提示装置１３０の周囲にいる場合に、健康情報の提示が行われるように構成することも可能である。この場合、情報提示装置１３０は、例えば、図１１に示すように、ユーザ識別部１３５に接続するように、データの閲覧権限を管理する閲覧権限管理部１３６を備える。閲覧権限管理部１３６においては、健康情報の本人以外に健康情報を閲覧する権限が与えられた他のユーザが予め登録されている。そして、ユーザ識別部１３５が、閲覧権限が与えられたものとして閲覧権限管理部１３６に登録されていないユーザを識別した場合、放送波加工部１３４は提示方法の変更を中止する。一方、ユーザ識別部１３５が、閲覧権限が与えられたものとして閲覧権限管理部１３６に登録されたユーザのみを識別した場合、健康情報の本人以外の他のユーザが情報提示装置１３０の周囲にいる場合であっても、放送波加工部１３４は提示方法の変更を行い、健康情報を提示する。尚、閲覧権限管理部１３６を、例えば、ユーザ識別部１３５内に設け、ユーザ識別部１３５に閲覧権限の登録を行ってもよい。
【００４７】
（第３実施形態）
図１２は、本発明の第３実施形態に係る情報提示システムのシステム構成図である。ユーザが測定された健康情報に加え、例えば、その情報の変化を知りたい場合もある。このような場合に、データ蓄積装置１２０に蓄積されたデータを解析することにより、ユーザは利便性の高い情報取得を行うことができる。そこで、本実施形態に係る情報提示システムは、第１実施形態のデータ蓄積装置１２０に、データ解析部をさらに設けたものである。本実施形態に係る情報提示システムでは、所定の時刻に、測定されたユーザの健康情報に加えて、蓄積された健康情報を解析した情報を提示する。以下、第１実施形態と同じ点については説明を省略し、異なる点について説明を行う。
【００４８】
第３実施形態に係る情報提示システム１００は、第１実施形態と同様に、データ収集装置１１０と、データ蓄積装置１２０と、情報提示装置１３０とを有する。データ収集装置１１０とデータ蓄積装置１２０、及びデータ蓄積装置１２０と情報提示装置１３０とは、相互に通信可能に接続されている。データ収集装置１１０及び情報提示装置１３０の構成は、第１実施形態と同じである。
【００４９】
第３実施形態におけるデータ蓄積装置１２０は、図１２に示すように、データ受信部１２１と、データ管理部１２２と、データ要求応答部１２３と、ユーザ管理部１２４と、データ解析部１２５とを有する。データ受信部１２１は、データ管理部１２２及びユーザ管理部１２４と接続されている。また、データ管理部１２２とデータ要求応答部１２３とユーザ管理部１２４とは、互いに接続されている。また、データ解析部１２５は、データ管理部１２２と接続されている。データ受信部１２１、データ管理部１２２、データ要求応答部１２３及びユーザ管理部１２４の機能は、第１実施形態と同様である。
【００５０】
データ解析部１２５は、データ管理部１２２に蓄積されたデータを解析する。データ解析部１２５は、具体的には、健康情報に係るデータを過去に蓄積されたデータと比較したり、データの推移を解析したりする。データ解析部１２５が解析したこれらのデータは、情報提示装置１３０におけるユーザへの健康情報の提示に反映される。例えば、データ解析部１２５が解析した結果、ある１日のユーザの歩数が、過去１ヶ月間の１日当たりの平均歩数に対して、所定の割合以上多かったとする。この場合、情報提示装置１３０は、測定された歩数の提示と合わせて、例えば「今日は、昨日とはうってかわり、よく歩いたようです」とのコメントを提示することができる。また、例えば、データ解析部１２５が解析した結果、過去１週間の血圧が、過去１ヶ月間の血圧の平均値と比較して、標準偏差以上高かったとする。この場合、情報提示装置１３０は、測定された血圧の提示と合わせて、例えば「血圧がここしばらくの間で高めになっています」とのコメントを提示することができる。
【００５１】
次に、図１３を用いて、第３実施形態における情報提示システムの一連の動作を説明する。第１実施形態における情報提示システム１００と同様に、第３実施形態における情報提示システム１００においては、歩数計１１０ａ、血圧計１１０ｂ及び睡眠計１１０ｃがユーザの健康情報に係るデータを測定し、測定したデータを自らのデータ収集装置識別情報とともにデータ蓄積装置１２０に送信する（ステップＳ２０１乃至Ｓ２０６）。そして、情報提示装置１３０は、健康情報を提示する所定の時刻の前に、データ蓄積装置１２０に対して、データ要求とともに自らの情報提示装置識別情報を送信する（ステップＳ２０７）。データ要求を受信したデータ蓄積装置１２０は、データ解析部１２５において、情報提示装置識別情報に対応するユーザの健康情報に係るデータの解析を行う（ステップＳ２１３）。そして、データ蓄積装置１２０は、ユーザの健康情報とともにデータの解析結果を情報提示装置１３０に送信する（ステップＳ２０８）。情報提示装置１３０は、データ蓄積装置１２０から送信されたデータを、データ受信部１３３で受信する。そして、情報提示装置１３０の放送波加工部１３４は、所定の時刻になると、その時刻において提示されている放送波に受信したデータを付加するように、情報提示部１３１における提示方法を変更する（ステップＳ２０９）。放送波加工部１３４は、例えば、図６（ａ）のように全画面で表示されていた放送波の映像を、図６（ｂ）のようにアスペクト比を保ったまま縮小して左上から表示し、下部及び右側に放送波映像を表示しない領域を作る。そして、当該領域に、データ受信部１３３が受信した健康情報と、データ解析部１２５の解析結果に基づくコメント等を表示する。その後、第１実施形態の場合と同様に、情報提示装置１３０は、健康情報に係るデータの提示を、例えば、一定の時間が経過したときに終了する（ステップＳ２１０）。
【００５２】
このように、ユーザは、情報提示装置１３０に提示された健康情報を確認することで、自ら能動的に情報を取得することなく、自らの健康情報に加えて、健康情報の推移や健康情報に基づく解析結果等を知ることができる。
【００５３】
本実施形態においては、データ蓄積装置１２０に、他の各種情報を取得するための取得部をさらに設けてもよい。この場合、データ解析部１２５において、ユーザの健康情報と、取得部から取得した各種情報とを結び付けて、データの解析を行うことができる。例えば、本情報提示システム１００において、気象情報を取得するための気象情報取得部をデータ蓄積装置１２０にさらに設けることができる。データ解析部１２５は、例えば、情報を提示する前日の天気が雨であり、情報を提示する日の天気予報が晴れであるという気象情報と、歩数計１１０ａが測定した前日の歩数が過去の一定期間の１日の平均歩数より少ないという健康情報とを、結び付けて解析を行う。そして、解析の結果として、情報提示部１３１は、例えば「今日は雨だったのであまり歩けませんでしたが、明日は晴れるので今日の分も歩きましょう」といったアドバイスを提示することができる。
【００５４】
上述の第１乃至第３実施形態は、代表的な例として説明したが、本発明の趣旨および範囲内で、多くの変更及び置換ができることは当業者に明らかである。したがって、本発明は、上述の実施形態によって制限するものと解するべきではなく、特許請求の範囲から逸脱することなく、種々の変形や変更が可能である。
【００５５】
例えば、各構成部、各ステップ等に含まれる機能等は論理的に矛盾しないように再配置可能であり、複数の構成部やステップ等を１つに組み合わせたり、或いは分割したりすることが可能である。
【符号の説明】
【００５６】
１００  情報提示システム
１１０  データ収集装置
１１０ａ  歩数計
１１０ｂ  血圧計
１１０ｃ  睡眠計
１１１  健康情報測定部
１１２  データ送信部
１２０  データ蓄積装置
１２１  データ受信部
１２２  データ管理部
１２３  データ要求応答部
１２４  ユーザ管理部
１２５  データ解析部
１３０  情報提示装置
１３１  情報提示部
１３２  データ要求部
１３３  データ受信部
１３４  放送波加工部
１３５  ユーザ識別部
１３６  閲覧権限管理部
【図１】
2015049715.tif 000003
【図２】
2015049715.tif 000004
【図３】
2015049715.tif 000005
【図４】
2015049715.tif 000006
【図５】
2015049715.tif 000007
【図６】
2015049715.tif 000008
【図７】
2015049715.tif 000009
【図８】
2015049715.tif 000010
【図９】
2015049715.tif 000011
【図１０】
2015049715.tif 000012
【図１１】
2015049715.tif 000013
【図１２】
2015049715.tif 000014
【図１３】
2015049715.tif 000015